【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
表意文字と表音文字とを有する言語のための、クエリ補完を提案するための方法であって、
０以上の表意文字と、それに続く少なくとも１つの表音文字とを含む部分クエリを、検索要求者から受信するステップであって、前記部分クエリは完全なクエリの部分を含む、ステップと、
前記部分クエリに対応する予測完全クエリの組を、ユーザのコミュニティによって発行されたクエリから取得するステップであって、予測完全クエリの前記組は、ランク付け基準に従って順序付けされ、表意文字の文字列を含む少なくとも１つの予測完全クエリを含む、ステップと、
順序付けされた予測クエリの前記取得した組を、前記検索要求者に伝えるステップとを含む方法。
【請求項２】
前記部分クエリは、少なくとも１つの表音文字を含む、請求項１に記載の方法。
【請求項３】
前記部分クエリは、表意文字および表音文字の両方を含む、請求項１に記載の方法。
【請求項４】
前記部分クエリは、少なくとも１つの表意文字を表す少なくとも１つの不完全な表音文字列を含み、
前記取得するステップは、前記不完全な表音文字列と整合性がある少なくとも１つまたは複数の表意文字を含む少なくとも１つの予測クエリを取得するステップを含む、請求項１に記載の方法。
【請求項５】
予測クエリの前記取得した組は、ユーザのコミュニティによって以前に発行されたクエリである、請求項１に記載の方法。
【請求項６】
予測クエリの前記取得した組は、前記検索要求者によって以前に発行されていない少なくとも１つのクエリを含む、請求項５に記載の方法。
【請求項７】
予測クエリの前記取得した組は、検索クエリと、少なくとも１つのＵＲＬとの両方を含む、請求項１に記載の方法。
【請求項８】
予測クエリの前記取得した組は、第１の組を含み、前記取得するステップは、クライアント上で予測クエリの第２の組を生成するステップを含み、前記伝えるステップは、予測クエリの前記第１の組の少なくともいくつかの予測クエリおよび予測クエリの前記第２の組の少なくともいくつかの予測クエリを、前記検索要求者に伝えるステップを含む、請求項１に記載の方法。
【請求項９】
入力を受信するステップであって、前記入力は、順序付けされた予測クエリの前記組の中から選択されるクエリを識別する、ステップと、
前記受信したクエリに関連する検索結果を生成するステップとを含む、請求項１に記載の方法。
【請求項１０】
前記予測クエリのうちの少なくとも１つに関連する検索結果を生成するステップと、
前記検索結果を前記要求者に伝えるステップとを含む、請求項１に記載の方法。
【請求項１１】
前記受信したクエリ情報から、関連するクエリ情報を判定するステップと、
前記関連するクエリ情報に関連する、少なくとも１つの予測クエリを識別するステップと、
前記関連するクエリ情報に関連する、前記少なくとも１つの予測クエリを前記検索要求者に伝えるステップとをさらに含む、請求項１に記載の方法。
【請求項１２】
前記予測するステップは、前記予測クエリのそれぞれに対するユーザのコミュニティによる発行頻度に従って、前記予測クエリを順序付けするステップを含む、請求項１に記載の方法。
【請求項１３】
所定の期間内に、前記検索要求者から、予測クエリの前記組の中のいずれかのクエリの選択が受信されていないことを判定するステップと、
前記ランク付け基準に従って順序付けされた予測クエリの後続の組を、前記検索要求者に伝えるステップとをさらに含む、請求項１に記載の方法。
【請求項１４】
前記部分クエリを受信するステップの前に、前記ユーザのコミュニティによって以前に発行された、履歴クエリの組を識別するステップであって、履歴クエリの前記組の中の各クエリは、前記ユーザのコミュニティによる発行頻度を有し、少なくとも１つの表意文字を含む、ステップと、
前記部分クエリを受信するステップの前に、履歴クエリの前記識別された組から、複数の順序付けされたサブセットを生成するステップであって、各順序付けされたサブセットは、履歴クエリの前記識別された組からの１つまたは複数の履歴クエリが、前記ユーザのコミュニティによるそれぞれの発行頻度に従って順序付けされたものを含む、ステップと、を含む請求項１に記載の方法。
【請求項１５】
前記生成するステップは、
複数の履歴クエリからの１つまたは複数の表意文字の文字列を、１つまたは複数の表音文字の文字列を含む１つまたは複数の表示にマッピングするステップを含み、それぞれの履歴クエリの少なくとも１つのマッピングは、少なくとも１つの表意文字と、１つまたは複数の表音文字の文字列とを含む、請求項１４に記載の方法。
【請求項１６】
前記部分クエリを受信するステップの前に、複数の組を識別するステップであって、各組は、それぞれの部分クエリ単位に関連付けられ、ユーザのコミュニティによって以前に発行された複数のクエリを含み、各クエリは、それぞれのランク付け値を有する、ステップと、
前記部分クエリを受信するステップの前に、前記複数の組の少なくとも部分について、前記組の中の前記クエリを、前記それぞれのランク付け値に従って順序付けするステップとを含み、
前記取得するステップは、前記複数の組の中から１つの組を選択するステップを含み、前記選択される組は前記部分クエリに対応する、請求項１に記載の方法。
【請求項１７】
表意文字と表音文字とを有する言語のための、クエリ補完を提案するためのシステムであって、１つまたは複数のプロセッサと、前記１つまたは複数のプロセッサにより実行される１つまたは複数のプログラムを記憶するメモリとを備え、当該システムは、
０以上の表意文字と、それに続く少なくとも１つの表音文字とを含む部分クエリを、検索要求者から受信するためのクエリ処理モジュールであって、前記部分クエリは完全なクエリの部分を含む、クエリ処理モジュールと、
予測完全クエリの複数の組であって、各組は、ランク付け基準に従って順序付けされ、それぞれの組は表意文字の文字列を有する少なくとも１つの予測完全クエリを含み、前期複数の組の中の前記予測完全クエリは、ユーザのコミュニティによって発行された履歴クエリを含む、複数の組と、
前記部分クエリに対応する予測完全クエリの組を、前記複数の組から取得するための予測モジュールであって、予測完全クエリの前記取得した組は、前記ランク付け基準に従って順序付けされる、予測モジュールと、
順序付けされた予測クエリの前記取得した組を、前記検索要求者に伝えるための、通信モジュールとを備えるシステム。
【請求項１８】
前記部分クエリは、少なくとも１つの表音文字を含む、請求項１７に記載のシステム。
【請求項１９】
前記部分クエリは、表意文字および表音文字の両方を含む、請求項１７に記載のシステム。
【請求項２０】
前記部分クエリは、少なくとも１つの表意文字を表す少なくとも１つの不完全な表音文字列を含み、
予測クエリの前記取得した組の中の少なくとも１つの予測クエリは、前記不完全な表音文字列と整合性がある１つまたは複数の表意文字を含む、請求項１７に記載のシステム。
【請求項２１】
予測クエリの前記取得した組は、ユーザのコミュニティによって以前に発行されたクエリである、請求項１７に記載のシステム。
【請求項２２】
予測クエリの前記取得した組は、前記検索要求者によって以前に発行されていない少なくとも１つのクエリを含む、請求項１７に記載のシステム。
【請求項２３】
予測クエリの前記取得した組は、検索クエリと、少なくとも１つのＵＲＬとの両方を含む、請求項１７に記載のシステム。
【請求項２４】
予測クエリの前記取得した組は、第１の組を含み、前記予測モジュールは、クライアント上で予測クエリの第２の組を取得し、前記通信モジュールは、予測クエリの前記第１の組の少なくともいくつかの予測クエリおよび予測クエリの前記第２の組の少なくともいくつかの予測クエリを、前記検索要求者に伝える、請求項１７に記載のシステム。
【請求項２５】
入力を受信するための受信モジュールであって、前記入力が、順序付けされた予測クエリの前記組の中から選択されるクエリを識別する、受信モジュールと、
前記受信したクエリに関連する検索結果を生成するための、クエリサーバとをさらに備える、請求項１７に記載のシステム。
【請求項２６】
前記予測クエリのうちの少なくとも１つに関連する検索結果を生成し、前記検索結果を前記検索要求者に伝えるためのクエリサーバを備える、請求項１７に記載のシステム。
【請求項２７】
前記受信したクエリ情報から、関連するクエリ情報を判定するための概念モジュールをさらに備え、
前記予測モジュールは、前記関連するクエリ情報に関連する、少なくとも１つの予測クエリを取得し、前記通信モジュールは、前記関連するクエリ情報に関連する、前記少なくとも１つの予測クエリを前記検索要求者に伝える、請求項１７に記載のシステム。
【請求項２８】
前記予測モジュールは、前記予測クエリのそれぞれに対するユーザのコミュニティによる発行頻度に従って、前記予測クエリを順序付けするようにさらに構成される、請求項１７に記載のシステム。
【請求項２９】
所定の期間内に、前記検索要求者から、予測クエリの前記組の中のいずれかのクエリの選択が受信されていないことを判定するための手段と、
前記ランク付け基準に従って順序付けされた予測クエリの後続の組を、前記検索要求者に伝えるための手段とをさらに備える、請求項１７に記載のシステム。
【請求項３０】
前記予測モジュールは、さらに、
前記部分クエリを受信する前に、前記ユーザのコミュニティによって以前に発行された履歴クエリの組を識別するように構成され、履歴クエリの前記組の中の各クエリは、前記ユーザのコミュニティによる発行頻度を有し、少なくとも１つの表意文字を含み、
前記部分クエリを受信する前に、履歴クエリの前記識別された組から、複数の順序付けされたサブセットを生成するように構成され、各順序付けされたサブセットは、履歴クエリの前記識別された組からの１つまたは複数の履歴クエリが、前記ユーザのコミュニティによるそれぞれの発行頻度に従って順序付けされたものを含む、請求項１７に記載のシステム。
【請求項３１】
前記予測モジュールは、複数の履歴クエリからの１つまたは複数の表意文字の文字列を、１つまたは複数の表音文字の文字列を含む１つまたは複数の表示にマッピングするための手段を備え、それぞれの履歴クエリの少なくとも１つのマッピングは、少なくとも１つの表意文字と、１つまたは複数の表音文字の文字列とを含む、請求項３０に記載のシステム。
【請求項３２】
前記予測モジュールは、さらに、
前記部分クエリを受信する前に、複数の組を識別するように構成され、各組は、それぞれの部分クエリ単位に関連付けられ、ユーザのコミュニティによって以前に発行された複数のクエリを含み、各クエリは、それぞれのランク付け値を有し、
前記部分クエリを受信する前に、前記複数の組の少なくとも部分について、前記組の中の前記クエリを、前記それぞれのランク付け値に従って順序付けするように構成され、
前記複数の組の中から１つの組を選択するように構成され、前記選択される組は前記部分クエリに対応する、請求項１７に記載のシステム。